(57)【特許請求の範囲】
【請求項１】
平均粒子径が２．０μｍ以上１２．０μｍ以下、頻度粒度分布の変動係数が３０％以上１６０％以下で粒子径３μｍ以上の粒子の平均球形度が０．８６以上であることを特徴とするチタン酸バリウム粉末。
【請求項２】
粒子径が０．１μｍ以上０．７μｍ以下の微細チタン酸バリウム粒子を１．０質量％以上２０．０質量％以下含有することを特徴とする請求項１に記載のチタン酸バリウム粉末。
【請求項３】
最大粒子径が３２μｍ以下であることを特徴とする請求項１又は２に記載のチタン酸バリウム粉末。
【請求項４】
可燃ガスと助燃ガスとによって形成された高温火炎中に、その火炎の中心より平均粒子径が０．１μｍ以上１．５μｍ以下のチタン酸バリウム質原料を、突出速度が３００ｍ／秒以上７００ｍ／秒以下である気体に分散させながら噴霧することを特徴とする請求項１〜３のいずれか１項に記載のチタン酸バリウム粉末の製造方法。
【請求項５】
可燃ガスと助燃ガスとによって形成された高温火炎中に、その火炎の中心より平均粒子径が０．１μｍ以上１．５μｍ以下のチタン酸バリウム質原料と溶媒を混合した液体スラリーを、突出速度が３００ｍ／秒以上７００ｍ／秒以下である気体に分散させながら噴霧することを特徴とする請求項１〜３のいずれか１項に記載のチタン酸バリウム粉末の製造方法。
【請求項６】
請求項１〜３のいずれか１項に記載のチタン酸バリウム粉末を含有してなる樹脂組成物。
【請求項７】
請求項６に記載の樹脂組成物を用いた指紋センサ封止材。
【発明の詳細な説明】
【技術分野】
【０００１】
本発明は、チタン酸バリウム粉末及びその製造方法、用途に関する。
【背景技術】
【０００２】
近年、情報の電子化やネットワーク化が大きく進展し、企業や個人の機密情報管理が重要となっている。これらの機密情報へのアクセス管理においては、本人認証機能が必要となり、現在、高度な認証機能が必要な分野には、指紋認証機能の普及が進んでいる。
【０００３】
指紋認証には、光学型、感熱型、静電容量型等があるが、スマートフォンやタブレットに代表されるモバイル端末においては、高信頼性、高解像度、小型化の観点から、静電容量型が多く採用されている。静電容量型は指紋の微妙な凹凸による静電容量の差を感度良く検知する必要があり、指紋認証システムの静電容量を高める為に、指紋センサを保護する封止材の高誘電化が必要とされている。
【０００４】
封止材の高誘電化の為には、封止材に充填する無機フィラーにチタン酸バリウム等の高誘電材料を用い、かつ可能な限り高充填する必要があるが、従来のフィラーでは特性を十分に満足することが出来ない。例えば、特許文献１には、異なる粒子径のペロブスカイト型複合酸化物粒子を組み合わせることで樹脂へ高充填化する技術が開示されている。しかし、この方法では、造粒粉を粒子同士の融着が進行しない範囲で焼成されている為、粒子表面の凹凸が大きく、流動性や成形性の向上が十分ではない。特許文献２には、原料粉体の一部を溶融後に熱処理を加え、球状で単結晶の誘電体セラミックス粒子を得る技術が開示されているが、粒度分布の制御はされていない為、流動性、成形性は十分ではなく、封止材として用いた際に、封止時の流動性、成形性の特性を十分満たす高誘電フィラーは未だ存在しない。
【先行技術文献】
【特許文献】
【０００５】
【特許文献１】特開２０１３−１５５０７１号公報
【特許文献２】特許第４４３１９４７号公報
【発明の概要】
【発明が解決しようとする課題】
【０００６】
本発明の目的は、誘電性、流動性、成形性に優れた指紋センサ保護用封止材を調製することが出来るチタン酸バリウム粉末を提供することであり、それを含有してなる組成物を提供することである。
【課題を解決するための手段】
【０００７】
本発明者は、鋭意研究を重ねた結果、上記の目的を達成するべく鋭意研究を進めたところ、これを達成するチタン酸バリウム粉末見いだした。本発明はかかる知見に基づくものであり、以下の要旨を有する。
（１）平均粒子径が２．０μｍ以上１２．０μｍ以下、頻度粒度分布の変動係数が３０％以上１６０％以下で粒子径３μｍ以上の粒子の平均球形度が０．８６以上であることを特徴とするチタン酸バリウム粉末。
（２）粒子径が０．１μｍ以上０．７μｍ以下の微細チタン酸バリウム粒子を１．０質量％以上２０．０質量％以下含有することを特徴とする前記（１）に記載のチタン酸バリウム粉末。
（３）最大粒子径が３２μｍ以下であることを特徴とする前記（１）又は（２）に記載のチタン酸バリウム粉末。
（４）可燃ガスと助燃ガスとによって形成された高温火炎中に、その火炎の中心より平均粒子径が０．１μｍ以上１．５μｍ以下のチタン酸バリウム質原料を、突出速度が３００ｍ／秒以上７００ｍ／秒以下である気体に分散させながら噴霧することを特徴とする前記（１）〜（３）のいずれか１項に記載のチタン酸バリウム粉末の製造方法。
（５）可燃ガスと助燃ガスとによって形成された高温火炎中に、その火炎の中心より平均粒子径が０．１μｍ以上１．５μｍ以下のチタン酸バリウム質原料と溶媒を混合した液体スラリーを、突出速度が３００ｍ／秒以上７００ｍ／秒以下である気体に分散させながら噴霧することを特徴とする前記（１）〜（３）のいずれか１項に記載のチタン酸バリウム粉末の製造方法。
（６）前記（１）〜（３）のいずれか１項に記載のチタン酸バリウム粉末を含有してなる樹脂組成物。
（７）前記（６）に記載の樹脂組成物を用いた指紋センサ封止材。
【発明の効果】
【０００８】
本発明によれば、誘電性、流動性、成形性に優れた指紋センサ保護用封止材を調整することが出来るチタン酸バリウム粉末及びその組成物が提供される。
【発明を実施するための形態】
【０００９】
以下、本発明を詳細に説明する。
本発明のチタン酸バリウム粉末は、平均粒子径が２．０μｍ以上１２．０μｍ以下である。平均粒子径が２．０μｍ未満であると、樹脂に充填した際に、封止材の粘度が著しく増加してしまう為、流動性が悪化する。一方、平均粒子径が１２．０μｍを超えると、樹脂に充填した際に、封止材の粘度は低くなるものの、小さい粒子が少なくなることでバリが止まらなくなり、成形性が悪化する。好ましい平均粒子径は３．０μｍ以上１０．０μｍ以下、より好ましくは４．０μｍ以上８．０μｍ以下である。
【００１０】
本発明のチタン酸バリウム粉末は、頻度粒度分布の変動係数が３０％以上１６０％以下であることが必要である。頻度粒度分布の変動係数が３０％未満であると、粒子径が揃いすぎているため、樹脂に充填した際に、バリが止まらなくなり、成形性が悪化する。また、樹脂に高充填することが出来ず、封止材の誘電性向上効果が不十分となる。一方、頻度粒度分布の変動係数が１６０％を超えると、平均粒子径近傍の粒子径をもった粒子の数が少なくなる為、樹脂に充填した際に封止材の流動性が悪化する。好ましい頻度粒度分布の変動係数は４０％以上１３０％以下、より好ましくは５０％以上１００％以下である。
【００１１】
本発明のチタン酸バリウム粉末の平均粒子径、頻度粒度分布の変動係数は、レーザー回折光散乱法による質量基準の粒度測定に基づく値であり、マルバーン社製「マスターサイザー３０００、湿式分散ユニット：Ｈｙｄｒｏ  ＭＶ装着」を用いて測定する。測定に際しては、溶媒には水を用い、前処理として２分間、トミー精工社製「超音波発生器ＵＤ−２００（超微量チップＴＰ−０４０装着）」を用いて２００Ｗの出力をかけて分散処理する。分散処理後の粉末を、レーザー散乱強度が１０〜１５％になるように分散ユニットに滴下する。分散ユニットスターラーの撹拌速度は１７５０ｒｐｍ、超音波モードは無しとする。粒度分布の解析は粒子径０．０１〜３５００μｍの範囲を１００分割にして行う。水の屈折率には１．３３を用い、チタン酸バリウム粉末の屈折率には２．４０を用いる。なお、測定した粒度分布において、累積質量が５０％となる粒子が平均粒子径である。変動係数は、｛（頻度粒度分布の標準偏差）／（平均粒子径）｝×１００で表される。なお、頻度粒度分布の標準偏差は下記式によって求められる。
頻度粒度分布の標準偏差＝（Σ｛ｎｃ（ｄｃ−ｄａ）２｝／Σｎｃ）０．５
式中、ｎｃは各粒子径域における粒子の質量頻度割合（％）、ｄｃは各粒子径域の幾何平均粒子径（μｍ）、ｄａは平均粒子径（μｍ）である。
【００１２】
本発明のチタン酸バリウム粉末は、粒子径３μｍ以上の粒子の平均球形度が０．８６以上であることが必要である。平均球形度が高いほど、樹脂に充填した際に、封止材の流動性、成形性が向上する傾向がある。また、樹脂へ高充填することも可能となる為、誘電率を向上させることが出来る。本発明においては、特に粒子径３μｍ以上の粗い粒子の平均球形度を０．８６以上にすることで、これらの効果を高めることが出来る。好ましい粒子径３μｍ以上の粒子の平均球形度は０．８８以上、より好ましくは０．９０以上である。
【００１３】
本発明のチタン酸バリウム粉末の平均球形度は、以下の方法で測定する。チタン酸バリウム粉末と水を混合して、チタン酸バリウム１０質量％のスラリーを調整し、ＢＲＡＮＳＯＮ社製「ＳＯＮＩＦＩＥＲ４５０（破砕ホーン３／４’’ソリッド型）」を用い、出力レベル８で２分間分散処理する。その分散スラリーを目開き３μｍの電成篩を通過させ、篩上に残ったチタン酸バリウム粉末を乾燥させる。次に、この乾燥させたチタン酸バリウム粉末とエタノールを混合してチタン酸バリウム１質量％スラリーを調整し、上述の装置、条件にて分散処理を行った後、スポイトを用いて、カーボンペーストを塗布した試料台に滴下する。試料台に滴下したチタン酸バリウム粉末が乾燥するまで大気中放置後、オスミウムコーティングを行い、日本電子社製走査型電子顕微鏡「ＪＳＭ−６３０１Ｆ型」で撮影した倍率２０００倍、解像度２０４８×１５３６ピクセルの画像をパソコンに取り込む。この画像を、マウンテック社製画像解析装置「ＭａｃＶｉｅｗ  Ｖｅｒ．４」を使用し、簡単取り込みツールを用いて粒子を認識させ、粒子の投影面積（Ａ）と周囲長（ＰＭ）から球形度を測定する。周囲長（ＰＭ）に対応する真円の面積を（Ｂ）とすると、その粒子の球形度はＡ／Ｂとなるので、試料の周囲長（ＰＭ）と同一の周囲長を持つ真円（半径ｒ）を想定すると、ＰＭ＝２πｒ、Ｂ＝πｒ２であるから、Ｂ＝π×（ＰＭ／２π）２となり、個々の粒子の球形度は、球形度＝Ａ／Ｂ＝Ａ×４π／（ＰＭ）２となる。このようにして得られた任意の投影面積円相当径３μｍ以上の粒子２００個の球形度を求め、その平均値を平均球形度とする。
【００１４】
本発明のチタン酸バリウム粉末は、粒子径が０．１μｍ以上０．７μｍ以下の微細チタン酸バリウム粒子を１．０質量％以上２０．０質量％以下含有することが好ましい。粒子径が０．１μｍ以上０．７μｍ以下の微細チタン酸バリウム粒子は、チタン酸バリウム粉末の各粒子の間隙に入り込んで、充填構造を密なものとする為、樹脂に充填した際にバリ発生を抑え、封止材の成形性を向上させることが出来る。粒子径が０．１μｍ以上０．７μｍ以下の微細チタン酸バリウム粒子の含有量が１．０質量％未満であると、樹脂に充填した際に封止材のバリ発生の抑制効果が不十分となり、成形性を向上させることが出来ない。一方、粒子径が０．１μｍ以上０．７μｍ以下の微細チタン酸バリウム粒子の含有量が２０．０質量％を超えると、樹脂に充填した際に、封止材の粘度が著しく増加してしまう為、流動性が悪化する問題が発生する。粒子径が０．１μｍ以上０．７μｍ以下の微細チタン酸バリウム粒子の好ましい含有量は２．０質量％以上１７．０質量％以下、より好ましくは３．０質量％以上１４．０質量％以下である。
【００１５】
本発明のチタン酸バリウム粉末中に含まれる、粒子径が０．１μｍ以上０．７μｍ以下の微細チタン酸バリウム粒子の含有率は、以下方法で測定する。チタン酸バリウム粉末と水を混合して、チタン酸バリウム１０質量％のスラリーを調整し、ＢＲＡＮＳＯＮ社製「ＳＯＮＩＦＩＥＲ４５０（破砕ホーン３／４’’ソリッド型）」を用い、出力レベル８で２分間分散処理する。その分散スラリーを目開き１μｍのメンブランフィルターを通過させた後、通過したスラリーを乾燥させて粉末質量を測定し、チタン酸バリウム粉末中の１μｍ以下の微細チタン酸バリウム粒子の含有割合をまず算出する。その後、この１μｍ以下の微細チタン酸バリウム粒子を、上述のレーザー回折光散乱法により粒度測定を行い、１μｍ以下の微細チタン酸バリウム粒子中に含まれる、０．１μｍ以上０．７μｍ以下の含有割合を計算し、元のチタン酸バリウム粉末中に含まれる、粒子径が０．１μｍ以上０．７μｍ以下の微細チタン酸バリウム粒子の含有率を算出する。以上の操作に基づいて算出された値を、本発明における粒子径が０．１μｍ以上０．７μｍ以下の微細チタン酸バリウム粒子の含有率とする。例えば、目開き１μｍフィルターを通過した微粒チタン酸バリウム粒子の含有割合が１０質量％、レーザー回折光散乱法による粒度測定による、０．１μｍ以上０．７μｍ以下の含有割合が８０質量％であれば、本発明のチタン酸バリウム粉末中に含まれる、粒子径が０．１μｍ以上０．７μｍ以下の微細チタン酸バリウム粒子の含有率は８質量％と算出される。
【００１６】
本発明のチタン酸バリウム粉末は、最大粒子径が３２μｍ以下であることが好ましい。本発明のチタン酸バリウム粉末を樹脂に充填し、指紋センサ封止材として用いる場合、指紋センサ上部の厚みは、認証感度向上のために１００μｍ以下にすることが好ましい。その際に、チタン酸バリウム粉末の最大粒子径が３２μｍを超えると、指紋センサ上部の狭隙部分に樹脂組成物が入り込むことができず、ボイド発生量が多くなり、成形性が悪化する。好ましい最大粒子径は２５μｍ以下、より好ましくは２０μｍ以下である。
【００１７】
本発明のチタン酸バリウム粉末の最大粒子径は、以下の湿式篩法で測定する。セイシン企業社製ふるい分け振とう機「オクタゴンＤｉｇｉｔａｌ（湿式ふるいユニット）」に、例えば、目開きが３２μｍ、２５μｍ、２０μｍ等から、いずれかのＪＩＳ標準篩をセットし、チタン酸バリウム粉末１０ｇを精秤したものを篩上から投入し、９．５リットル／分のシャワー水量で５分間振とうさせた後、篩上に残った粉末をアルミニウム製容器に移し替え、大気中１２０℃で３０分間乾燥させ、篩上の粉末の質量を計量する。篩上の粉末の質量を、測定に供したチタン酸バリウム粉末の質量で除して百分率にし、篩上に残った粉末の割合を算出する。この際に、それぞれの目開きの篩上に残る粉末の割合が０．５質量％以下である篩の目開きを、本発明のチタン酸バリウム粉末の最大粒子径とする。 
【００１８】
つぎに、本発明のチタン酸バリウム粉末の製造方法について説明する。
【００１９】
本発明のチタン酸バリウム粉末の製造方法は、可燃ガスと助燃ガスとによって形成された高温火炎中に、その火炎の中心より平均粒子径が０．１μｍ以上１．５μｍ以下のチタン酸バリウム質原料を、突出速度が３００ｍ／秒以上７００ｍ／秒以下である気体に分散させながら噴霧することが好ましい。これによって本発明のチタン酸バリウム粉末を効率良く製造することが出来る。チタン酸バリウム質原料の平均粒子径が０．１μｍ未満であると、本発明のチタン酸バリウムの平均粒子径を２．０μｍ以上にすることが困難となる。一方、チタン酸バリウム質原料の平均粒子径が１．５μｍを超えると、本発明のチタン酸バリウム粉末の平均粒子径を１２．０μｍ以下にすることが困難となる。好ましいチタン酸バリウム質原料の平均粒子径は０．２μｍ以上１．２μｍ以下、より好ましくは０．３μｍ以上０．９μｍ以下である。また、分散気体の突出速度が３００ｍ／秒未満であると、チタン酸バリウム質原料の分散が不十分となり、本発明のチタン酸バリウム粉末の頻度粒度分布の変動係数を１６０％以下にすることが困難となる。一方、分散気体の突出速度が７００ｍ／秒を超えると、チタン酸バリウム質原料の分散が過剰となり、本発明のチタン酸バリウム粉末の頻度粒度分布の変動係数を３０％以上とすることが困難となる。好ましい分散気体の突出速度は３５０ｍ／秒以上６５０ｍ／秒以下、より好ましくは４００ｍ／秒以上６００ｍ／秒以下である。
【００２０】
チタン酸バリウム質原料の平均粒子径は、上述のレーザー回折光散乱法による粒度測定によって求めることが出来る。
【００２１】
可燃性ガスとしては、プロパン、ブタン、プロピレン、アセチレン、水素等の一種又は二種以上、また、助燃ガスとしては、酸素ガス等の酸素含有ガスが用いられるがこれらに限定されるものではない。
【００２２】
分散気体としては、空気、酸素等の支燃性ガス、窒素、アルゴン等の不活性ガスの他、ガスの発熱量調整を目的として燃焼性ガスを混合して使用することが出来る。
【００２３】
本発明のチタン酸バリウム粉末の製造方法は、上述の方法で製造する際に、チタン酸バリウム質原料と溶媒を混合した液体スラリーを原料とすることが好ましい。液体スラリーの状態で分散気体に分散させながら噴霧することで、溶媒の表面張力により本発明のチタン酸バリウム粉末の球形度を向上させることが容易となる。
【００２４】
溶媒は、水の他、発熱量調整として、メタノール、エタノール等の有機溶媒等を単独、あるいは混合して用いることが出来る。
【００２５】
本発明の樹脂組成物は、本発明のチタン酸バリウム粉末を含有してなる樹脂組成物である。樹脂組成物中のチタン酸バリウム粉末の含有率は１０〜９５質量％であり、さらに好ましくは３０〜９３質量％である。
【００２６】
本発明の樹脂組成物は、本発明のチタン酸バリウム粉末が単独で使用されるものとは限らず、例えば、熱膨張率が低い非晶質シリカ粉末や、熱伝導率が高いアルミナ粉末と併用して使用することも出来る。
【００２７】
樹脂としては、エポキシ樹脂、シリコーン樹脂、フェノール樹脂、メラミン樹脂、ユリア樹脂、不飽和ポリエステル、フッ素樹脂、ポリイミド、ポリアミドイミド、ポリエーテルイミド等のポリアミド、ポリブチレンテレフタレート、ポリエチレンテレフタレート等のポリエステル、ポリフェニレンスルフィド、芳香族ポリエステル、ポリスルホン、液晶ポリマー、ポリエーテルスルホン、ポリカーボネイト、マレイミド変成樹脂、ＡＢＳ樹脂、ＡＡＳ（アクリロニトリルーアクリルゴム・スチレン）樹脂、ＡＥＳ（アクリロニトリル・エチレン・プロピレン・ジエンゴム−スチレン）樹脂等を使用することができる。
【００２８】
これらの中、指紋センサ封止材としては、１分子中にエポキシ基を２個以上有するエポキシ樹脂が好ましい。それを例示すれば、フェノールノボラック型エポキシ樹脂、オルソクレゾールノボラック型エポキシ樹脂、フェノール類とアルデヒド類のノボラック樹脂をエポキシ化したもの、ビスフェノールＡ、ビスフェノールＦ及びビスフェノールＳ等のグリシジルエーテル、フタル酸やダイマー酸等の多塩基酸とエポクロルヒドリンとの反応により得られるグリシジルエステル酸エポキシ樹脂、線状脂肪族エポキシ樹脂、脂環式エポキシ樹脂、複素環式エポキシ樹脂、アルキル変性多官能エポキシ樹脂、β−ナフトールノボラック型エポキシ樹脂、１，６−ジヒドロキシナフタレン型エポキシ樹脂、２，７−ジヒドロキシナフタレン型エポキシ樹脂、ビスヒドロキシビフェニル型エポキシ樹脂、更には難燃性を付与するために臭素等のハロゲンを導入したエポキシ樹脂等である。中でも、耐湿性や耐ハンダリフロー性の点からは、オルソクレゾールノボラック型エポキシ樹脂、ビスヒドロキシビフェニル型エポキシ樹脂、ナフタレン骨格のエポキシ樹脂等が好適である。
【００２９】
エポキシ樹脂の硬化剤としては、例えばフェノールノボラック、クレゾールノボラック、フェノールアラルキル等のノボラック型樹脂、ポリパラヒドロキシスチレン樹脂、ビスフェノールＡやビスフェノールＳ等のビスフェノール化合物、ピロガロールやフロログルシノール等の３官能フェノール類、無水マレイン酸、無水フタル酸や無水ピロメリット酸等の酸無水物、メタフェニレンジアミン、ジアミノジフェニルメタン、ジアミノジフェニルスルホン等の芳香族アミン等をあげることができる。また、エポキシ樹脂と硬化剤との反応を促進させるために硬化促進剤を配合することもでき、硬化促進剤としては、例えばトリフェニルホスフィン、ベンジルジメチルアミン、２−メチルイミダゾール等をあげることができる。
【００３０】
本発明の樹脂組成物には、更に以下の成分を必要に応じて配合することができる。すなわち、低応力化剤として、シリコーンゴム、ポリサルファイドゴム、アクリル系ゴム、ブタジエン系ゴム、スチレン系ブロックコポリマーや飽和型エラストマー等のゴム状物質、各種熱可塑性樹脂、シリコーン樹脂等の樹脂状物質、更にはエポキシ樹脂、フェノール樹脂の一部又は全部をアミノシリコーン、エポキシシリコーン、アルコキシシリコーン等で変性した樹脂等、シランカップリング剤として、γ−グリシドキシプロピルトリメトキシシラン、β−（３，４−エポキシシクロヘキシル）エチルトリメトキシシラン等のエポキシシラン、アミノプロピルトリエトキシシラン、ウレイドプロピルトリエトキシシラン、Ｎ−フェニルアミノプロピルトリメトキシシラン等のアミノシラン、フェニルトリメトキシシラン、メチルトリメトキシシラン、オクタデシルトリメトキシシラン等の疎水性シラン化合物やメルカプトシラン等、表面処理剤として、Ｚｒキレート、チタネートカップリング剤、アルミニウム系カップリング剤等、難燃助剤として、Ｓｂ２Ｏ３、Ｓｂ２Ｏ４、Ｓｂ２Ｏ５等、難燃剤として、ハロゲン化エポキシ樹脂やリン化合物等、着色剤として、カーボンブラック、酸化鉄、染料、顔料等、更には離型剤として、天然ワックス類、合成ワックス類、直鎖脂肪酸の金属塩、酸アミド類、エステル類、パラフィン等である。
【００３１】
本発明の樹脂組成物は、上記各材料の所定量をブレンダーやヘンシェルミキサー等によりブレンドした後、加熱ロール、ニーダー、一軸又は二軸押し出し機等により混練したものを冷却後、粉砕することによって製造することができる。
【００３２】
本発明の指紋センサ封止材は、樹脂組成物がエポキシ樹脂を含有してなるものであり、エポキシ樹脂の硬化剤とエポキシ樹脂の硬化促進剤とを含む組成物からなるものである。本発明の封止材を用いて指紋センサチップを封止するには、トランスファーモールド法、真空印刷モールド法等の常套の成形手段が採用される。
【実施例】
【００３３】
以下、本発明について、実施例及び比較例により、更に、詳細に説明する。
実施例１〜１４、比較例１〜１１
燃焼炉の頂部に内炎と外炎が形成できる二重管構造のＬＰＧ−酸素混合型バーナーが設置され、下部にサイクロン、バグフィルターからなる捕集系ラインに直結される装置を用いて製造した。上記バーナーの中心部には更に原料噴霧用の二流体ノズルが設置され、その二流体ノズルの中心部から特定の平均粒子径のチタン酸バリウム質原料、あるいは特定の平均粒子径のチタン酸バリウム質原料を５０質量％含有する水スラリーを、チタン酸バリウム質原料量で１０ｋｇ／時間となるようにフィードすると共に、二流体ノズルの外側から、突出速度が２５０ｍ／秒から７５０ｍ／秒となるように噴射した空気に分散させた。火炎の形成は二重管バーナーの出口に数十個の細孔を設け、そこからＬＰＧと酸素の混合ガスを、適宜ガス量を調整しながら噴射することによって行った。二流体ノズルから噴射され火炎を通過し球状化した粉末は、ブロワによって捕集ラインを空気輸送させ、サイクロン、及びバグフィルターで捕集した。サイクロン捕集品に、それと同条件のバグフィルター捕集品を適宜混合して微細チタン酸バリウム粒子の含有量を調整した後、各種目開きのＪＩＳ規格ステンレス試験用篩を用いて最大粒子径の調整を行い、表１及び表２に示される１９種類のチタン酸バリウム粉末を製造した。
【００３４】
製造したチタン酸バリウム粉末の、平均粒子径、頻度粒度分布の変動係数、粒子径３μｍ以上の粒子の平均球形度、粒子径が０．１μｍ以上０．７μｍ以下の微細チタン酸バリウム粒子の含有率、最大粒子径を表１、表２に示す。
【００３５】
【表１】
0006605864.tif 000002
【００３６】
【表２】
0006605864.tif 000003
【００３７】
製造したチタン酸バリウム粉末の封止材としての特性を評価するため、表３に示した配合量で、各成分を配合し、ヘンシェルミキサー（三井三池化工機社製「ＦＭ−１０Ｂ型」）にて１０００ｒｐｍで１分間ドライブレンドした。エポキシ樹脂としてビフェニル型エポキシ樹脂（ジャパンエポキシレジン社製：ＹＸ−４０００Ｈ）、フェノール樹脂としてフェノールアラルキル樹脂（三井化学社製：ミレックスＸＬＣ−４Ｌ）、カップリング剤としてエポキシシラン（信越化学工業社製：ＫＢＭ−４０３）、硬化促進剤としてトリフェニルホスフィン（北興化学工業社製：ＴＰＰ）、離型剤としてカルナバワックス（クラリアント社製）を使用した。その後、同方向噛み合い二軸押出混練機（スクリュー径Ｄ＝２５ｍｍ、Ｌ／Ｄ＝１０．２、パドル回転数５０〜１２０ｒｐｍ、吐出量３．０ｋｇ／Ｈｒ、混練物温度９４〜９６℃）で加熱混練した。混練物（吐出物）をプレス機にてプレスして冷却した後、粉砕して封止材を製造し、誘電性（比誘電率）、流動性（スパイラルフロー）、成形性（バリ長さ、ボイド数）を以下に従って評価した。それらの結果を表４〜表６に示す。
【００３８】
（１）比誘電率
各封止材を、トランスファー成形機を用いて直径５０ｍｍ、厚さ３ｍｍの円形状に成形後、ポストキュアし、封止材硬化体を作製した。トランスファー成形条件は、金型温度１７５℃、成形圧力７．５ＭＰａ、保圧時間９０秒とし、ポストキュア条件は１７５℃、８時間とした。これらの封止材硬化体表面に藤倉化成社製導電性ペースト「ドータイトＤ−５５０」を薄く塗布し、ＫＥＹＳＩＧＨＴ社製プレシジョンＬＣＲメータ「Ｅ４９８０ＡＬ」、及び誘電体テスト・フィクスチャ「１６４５１Ｂ」を用い、温度２５℃、湿度６０％、周波数１ＭＨｚで測定された静電容量から比誘電率を算出した。この比誘電率の値が大きいほど、誘電性が良好であることを示す。
【００３９】
（２）スパイラルフロー
ＥＭＭＩ−Ｉ−６６（ＥｐｏｘｙＭｏｌｄｉｎｇ Ｍａｔｅｒｉａｌ Ｉｎｓｔｉｔｕｔｅ；Ｓｏｃｉｅｔｙ ｏｆＰｌａｓｔｉｃ Ｉｎｄｕｓｔｒｙ）に準拠したスパイラルフロー測定用金型を取り付けたトランスファー成形機を用い、各封止材のスパイラルフロー値を測定した。なお、トランスファー成形条件は、金型温度１７５℃、成形圧力７．５ＭＰａ、保圧時間１２０秒とした。このスパイラルフローの値が大きいほど、流動性が良好であることを示す。
【００４０】
（３）バリ長さ
２μｍ、５μｍ、１０μｍのスリットを持つバリ測定用金型を用い、成形温度１７５℃、成形圧力７．５ＭＰａで成型した際にスリットに流れ出た封止材をノギスで測定し、それぞれのスリット幅のバリ長さを測定した。このバリ長さの値が小さいほど、成形性が良好であることを示す。
【００４１】
（４）ボイド数
ＢＧＡ用サブストレート基板にダイアタッチフィルムを介して、サイズ８ｍｍ×８ｍｍ×０．７ｍｍの模擬センサチップを置き、金ワイヤーで接続した後、上記の各封止材を使用し、トランスファー成形機を用いて、パッケージサイズ３８ｍｍ×３８ｍｍ×１．０ｍｍに成形後、ポストキュアし、模擬センサチップ封止体を２０個作製した。なお、チップ上の隙間は１００μｍ、金ワイヤーの直径は１５μｍφ、平均長さは５ｍｍとした。トランスファー成形条件は、金型温度１７５℃、成形圧力７．５ＭＰａ、保圧時間９０秒とし、ポストキュア条件は１７５℃、８時間とした。これら２０個の模擬センサチップ封止体について、超音波探傷装置（日立建機株式会社製「ＡＴ−５５００」）を用いて、直径０．３ｍｍ以上のボイドの数を計測し、模擬センサチップ封止体１個あたりの平均ボイド数を算出した。この平均ボイド数の値が小さいほど、成形性が良好であることを示す。
【００４２】
【表３】
0006605864.tif 000004
【００４３】
【表４】
0006605864.tif 000005
【００４４】
【表５】
0006605864.tif 000006
【００４５】
【表６】
0006605864.tif 000007
【００４６】
実施例と比較例の対比から明らかなように、本発明によれば、流動性、成形性に優れた樹脂組成物、また、前記樹脂組成物を調製するのに好適なチタン酸バリウム粉末が得られた。さらに、指紋センサ保護用封止材として用いた際に、比誘電率５０〜６３という結果が得られた。封止材で一般的に用いられる球状シリカや球状アルミナを同一処方で評価すると、球状シリカを充填した封止材の比誘電率は３〜４、球状アルミナを充填した封止材の比誘電率は６〜７という結果であり、指紋センサ保護用封止材として使用して良好な特性を得ることが出来た。
【産業上の利用可能性】
【００４７】
本発明のチタン酸バリウム粉末は、スマートフォンやタブレットに代表されるモバイル端末等に使用される指紋認証センサ保護用の封止材として利用される。